(57)【要約】      （修正有）【課題】低コストで容易に製造でき、携帯や収納性に優れ、また軽量で着用時に疲労感を軽減でき、さらに強度、対候性、耐薬品性、および防水性に優れた多目的ガウンを提供する。【解決手段】展開時、１枚のシート状に形成されている多目的ガウン１であって、腕被覆部、肩被覆部２０、胴被覆部３０、および頭部挿入部４０を備え、腕被覆部の両側部１１に、熱や超音波で溶着可能、または接着剤や面ファスナーで接合可能なシール部１２が装着されている。腕被覆部の先方に指挿入部１３を穿孔していることが好ましい。【選択図】図１
0003228389.tif 000002
【実用新案登録請求の範囲】
【請求項１】
展開時、１枚のシート状に形成されている多目的ガウンであって、該多目的ガウンは、腕被覆部、肩被覆部、胴被覆部、及び頭部挿入部を備え、前記腕被覆部の両側部にシール部を装着したことを特徴とする多目的ガウン。
【請求項２】
前記腕被覆部の先方に指挿入部を穿孔した請求項１記載の多目的ガウン。
【請求項３】
前記肩被覆部に切れ目を形成した請求項１または２記載の多目的ガウン。
【請求項４】
前記胴被覆部の両側部に、切り離し自在の紐体を成形した請求項１乃至３のうち何れか１項に記載の多目的ガウン。
【請求項５】
前記腕被覆部、肩被覆部、胴被覆部、及び頭部挿入部は、ポリエチレンシートにて形成されている請求項１乃至４のうち何れか１項に記載の多目的ガウン。
【考案の詳細な説明】
【技術分野】
【０００１】
本考案は、多目的ガウンに関し、特に、製造が容易で携帯や収納性に優れ、また軽量で着用時に疲労感を軽減でき、さらに強度、対候性、耐薬品性、および防水性に優れた多目的ガウンに関する。
【背景技術】
【０００２】
従来から、羽織って着る丈の長いガウンは、ゆったりとした外衣であるため、室内や屋外で幅広く使用されている。また、特に、医療分野においては、新型コロナウイルスの対策として、衛生面を考慮した使い捨ての医療用ガウンが使用されている。
【０００３】
かかるガウンの先行技術として、例えば、特許文献１には、中央身頃腰ベルト両側にギャザー部材を貼着し、動作中であっても、両脇が締まって前方へ膨張しないように構成し、支障なく円滑に手術が行え、かつ細菌感染を防止する医療用ガウンが、開示されている。
【０００４】
前記特許文献１の医療用ガウンは、中央身頃、前側身頃及び両袖とからなり、該両側身頃にその外側から着用者の身体を締めつけるための第１及び第２帯片の一端がそれぞれ連結された医療用ガウンにおいて、前記中央身頃の腰レベル両側に伸縮性を有するギャザー部材を伸長状態で取付け、該中央身頃のギャザー部材取付け部分をギャザー部材による伸縮力によりギャザー状にしてなることを特徴としているものである。
【先行技術文献】
【特許文献】
【０００５】
【特許文献１】登録実用新案第３０２０２７２号公報
【考案の概要】
【考案が解決しようとする課題】
【０００６】
しかしながら、特許文献１に記載された医療用ガウンは、腰レベル両側に伸縮性を有するギャザー部材を伸長状態で取付け、さらにギャザー部材取付け部分を、不織布やゴム等を用いてギャザー状に加工しているので、材料多くコストが高くなるとともに、加工の工程も増えコストアップに繋がるという問題が生じていた。
【０００７】
そこで、本考案の目的は、前記の従来技術の問題点を解決し、製造が容易で低コストで製造でき、携帯や収納性に優れ、また軽量で着用時に疲労感を軽減でき、さらに強度、対候性、耐薬品性、および防水性に優れた多目的ガウンを提供することにある。
【課題を解決するための手段】
【０００８】
本考案者は、前記課題を解決すべく鋭意検討を行った結果、多目的ガウンの腕被覆部にシール部を設けることで、前記目的を達成し得ることを見出し、本考案を完成するに至った。
【０００９】
即ち、本考案の多目的ガウンは、展開時、１枚のシート状に形成されている多目的ガウンであって、該多目的ガウンは、腕被覆部、肩被覆部、胴被覆部、及び頭部挿入部を備え、前記腕被覆部の両側部にシール部を装着したことを特徴とするものである。
【００１０】
また、本考案の多目的ガウンは、前記腕被覆部の先方に指挿入部を穿孔したことが好ましい。
【００１１】
さらに、本考案の多目的ガウンは、前記肩被覆部に切れ目を形成したことが好ましい。
【００１２】
さらにまた、本考案の多目的ガウンは、前記胴被覆部の両側部に、切り離し自在の紐体を成形したことが好ましい。
【００１３】
また、本考案の多目的ガウンは、前記腕被覆部、肩被覆部、胴被覆部、及び頭部挿入部は、ポリエチレンシートにて形成されていることが好ましい。
【考案の効果】
【００１４】
本考案によると、製造が容易で携帯や収納性に優れ、また軽量で着用時に疲労感を軽減でき、さらに強度、対候性、耐薬品性、および防水性に優れた多目的ガウンを提供することができる。
【図面の簡単な説明】
【００１５】
【図１】本考案の多目的ガウンの展開状態を示す。
【図２】腕被覆部を接合した状態の正面図を示す。
【図３】腕被覆部を接合した状態の背面図を示す。
【図４】多目的ガウンの使用状態正面図を示す。
【図５】多目的ガウンの使用状態背面図を示す。
【考案を実施するための形態】
【００１６】
本考案の多目的ガウンは、製造が容易で低コストで製造でき、携帯や収納性に優れ、また軽量で着用時に疲労感を軽減でき、さらに強度、対候性、耐薬品性、および防水性に優れることを特徴とするものである。
以下、本考案の多目的ガウンの実施の形態を図面に基づいて説明する。
【００１７】
図１は、本考案の多目的ガウンの展開状態を示し、図２は、腕被覆部を接合した状態の正面図を示し、図３は、腕被覆部を接合した状態の背面図を示す。図示する多目的ガウン１は、展開時、１枚のシート状に形成されているガウン本体２と、ガウン本体２を形成する腕被覆部１０と、肩被覆部２０と、胴被覆部３０と、頭部挿入部４０とを備えている。本考案の多目的ガウン１は、展開時、１枚のシート状に形成されているため、製造が容易で低コストで製造でき、携帯や収納性に優れ、また軽量で着用時に疲労感を軽減できる。
【００１８】
前記多目的ガウン１は、展開時には略Ｔ字状を呈しており、約３０μｍの厚さを有するポリエチレンシートにて形成されていることが好ましい。前記多目的ガウン１の素材としては、綿、ポリエチレン、ＳＭＳ不織布（ポリプロピレン）、スパンボンド（ポリプロピレン）、（パルプ・ポリエチレン）、（レーヨン・ポリエチレン）等を用いることができ、これらを多層で使用することもできるが、中でもポリエチレンが好ましい。ポリエチレンは、原料価格が安く、加工しやすく、強度や耐薬品性、耐候性等に優れるという特性を有する。そのため、各種容器や包装用材料フィルム、ラップフィルム、土木用シート等に幅広く使用されている。かかる多目的ガウン１をポリエチレンシートにて形成することにより、携帯や収納性に優れ、また本体重量を軽量に製造することができるため、長時間の着用でも疲労感を得ることがない。さらに、全体がポリエチレンシートという単一素材でできているため、強度、対候性、耐薬品性、および防水性に優れている。また、前記多目的ガウン１の素材の厚さは、１０〜５０μｍであることが好ましく、２０〜３０μｍであることが好ましい。
【００１９】
前記腕被覆部１０は、着衣者の両腕を覆うもので、展開時において略台形状に形成されている。また前記腕被覆部１０の両側部１１，１１´にはシール部材１２，１２´が形成されており、腕被覆部１０の中央部分より折曲し、両側部１１，１１´を互いに接合することで、テーパー状の筒形腕被覆部１０が形成される。
【００２０】
前記シール部１２，１２´は、両側部１１，１１´を互いに接合するもので、例えば熱溶着、超音波溶着等でシールする方法や、接着剤や面ファスナー等を利用して接合する方法等が挙げられる。
【００２１】
図４は、多目的ガウンの使用状態正面図を示し、図５は、多目的ガウンの使用状態背面図を示す。前記腕被覆部１０の先方には、指挿入部１３が穿孔されている。該指挿入部１３を穿孔することにより、図４及び図５に示すように、親指を外部に出すことができる。このように、腕被覆部１０の先方に指挿入部１３を穿孔したことにより、指先を使う作業が容易となるとともに、袖の捲り上がりも解消でき、手を使う作業において、指先の操作性を向上させることができる。
【００２２】
肩被覆部２０は、前記腕被覆部１０の間に一体的に連設されており、前記腕被覆部１０の両側部１１，１１´を互いに接合することで、身体の前身頃の上部から両肩、さらには後身頃の上部までを覆うことができる。
【００２３】
また前記肩被覆部２０の略中央部分には、略矩形状の頭部挿入部４０が形成されている。またさらには、前記頭部挿入部４０の近傍であって後身頃の箇所には、一対の切れ目２１が形成されている。該切れ目２１を設けることで、図５に示すように、着衣時、背中部分の水平方向の伸縮が得られるとともに、切れ目２１から外気を導入することができ、通気性が向上する。また、脱衣時には、切れ目２１で簡単に切って脱衣できるため、汚れに触る可能性を低下することができ、衛生的である。
【００２４】
胴被覆部３０は身体の前身頃から側部を覆うもので、前記肩被覆部２０の前身頃の下方に連設されている。また特に、前記胴被覆部３０の両側部３１，３１´の近傍には、縦方向に切れ目３２，３２´が形成されている。
【００２５】
前記切れ目３２，３２´は、縦方向に適宜長さで形成されており、上端部は内側方向に湾曲されている。前記切れ目３２，３２´を下端部分から切り離すことで、紐体３３，３３´が形成される。そのことにより、紐体３３，３３´を切り離し背部で結ぶことで、図５のように胴被覆部３０を身体に保持することができる。
【００２６】
上述の構成による本考案の多目的ガウンによれば、展開時、１枚のシート状に形成されているため、製造が容易で低コストで製造でき、使い捨ての医療用ガウンとして好適に使用することができる。
【００２７】
また着用時に疲労感を軽減できるとともに、強度、対候性、耐薬品性、および防水性に優れるため、雨天時の作業にも好適に使用することができる。さらには、親指を自由に使用できることで、食肉や魚類の加工作業等にも多目的に使用することができる。
【符号の説明】
【００２８】
１    多目的ガウン
２    ガウン本体
１０  腕被覆部
１１  両側部
１２  シール部
１３  指挿入部
２０  肩被覆部
２１  切れ目
３０  胴被覆部
３１  側部
３２  切れ目
４０  頭部挿入部
【図１】
0003228389.tif 000003
【図２】
0003228389.tif 000004
【図３】
0003228389.tif 000005
【図４】
0003228389.tif 000006
【図５】
0003228389.tif 000007